(57)【要約】      （修正有）【課題】自閉機能を有する引戸装置に関し、簡単な構造で、出入口の意匠が点検側（室内側）と固定側（室外側）でほぼ同じ意匠となって、全体の美観の向上が図れる引戸装置を提供する。【解決手段】点検側ランマ下地パネル７と固定側ランマ下地パネル１９の下端部には下端面がほぼ同一高さとなるよう点検側化粧突部７３と固定側化粧突部１９３が形成され、点検側化粧突部７３は化粧突部７３１と隠蔽突部７５より構成され、隠蔽突部７５が取り外された状態で、レール部材、引戸等が出入口側から取付け取り外し可能で、レール部材５に対する引戸６の保持部が下方に臨み、レール部材５と引戸６が取付けられた状態で、点検側ランマ下地パネル７の点検側表面基板７１にブレーキ装置９の操作片が取付け可能に構成されている事を特徴とする。【選択図】図２
2008057144.tif 000002
【特許請求の範囲】
【請求項１】
戸先側縦枠と戸尻側縦枠と上枠より門形に形成されて建物側の鉄骨に固定される引戸枠にレール部材が配設され、レール部材に自閉可能に引戸が吊り下げられて、引戸の閉鎖状態で引戸の位置する側を出入口側とし、引戸の開放状態で引戸の位置する側を戸袋側となし、少なくとも出入口側の上部に点検側ランマ下地パネルと固定側ランマ下地パネルが所定間隔を有して対向して配設され、点検側ランマ下地パネルと固定側ランマ下地パネルの表面が壁面と略面一とした点検側化粧ボードと固定側化粧ボード化粧ボードで覆われてなる引戸装置において、点検側ランマ下地パネルと固定側ランマ下地パネルの下端部には点検側化粧ボードと固定側化粧ボードの下端縁の外側と引戸側に突出して、点検側化粧ボードと固定側化粧ボードの下端縁と出入口の上方空間を隠蔽し、下端面がほぼ同一高さとなるよう点検側化粧突部と固定側化粧突部が形成され、点検側化粧突部は、点検側ランマ下地パネルの点検側表面基板下端部の外面側に位置し、点検側化粧ボードの下端部を隠蔽する化粧突部と、点検側ランマ下地パネルの点検側表面基板下端部の内面側に着脱自在に取付けられる隠蔽突部より構成され、隠蔽突部が取り外された状態で、レール部材、引戸等が出入口側から取付け取外し可能で、レール部材に対する引戸の保持部が下方に臨み、レール部材と引戸が取付けられた状態で、点検側ランマ下地パネルの点検側表面基板にブレーキ装置の作動片が取付け可能に構成されている事を特徴とする引戸装置。
【請求項２】
戸先側縦枠と戸尻側縦枠と上枠より門形に形成されて建物側の鉄骨に固定される引戸枠に、点検側と固定側に所定間隔を有して点検側中枠と固定側中枠が戸先側縦枠と戸尻側縦枠間に設けられ、戸尻側縦枠と点検側中枠間を戸袋点検側、戸尻側縦枠と固定側中枠間を戸袋固定側となし、戸先側縦枠と点検側中枠間を出入口点検側、戸先側縦枠と固定側中枠間を出入口固定側となし、戸袋側と出入口側を摺動自在で、出入口側を開閉自在となす引戸を点検側中枠と固定側中枠間に自閉可能に配設し、出入口点検側と出入口固定側の上部に点検側ランマ下地パネルと固定側ランマ下地パネルが所定間隔を有して対向して配設され、点検側ランマ下地パネルと固定側ランマ下地パネルの表面と戸袋点検側及び戸袋固定側の表面が建物の壁面と略面一とした化粧ボードで覆われてなる引戸装置において、点検側ランマ下地パネルと固定側ランマ下地パネルの下端部には点検側化粧ボードと固定側化粧ボードの下端縁の外側と引戸側に突出して、点検側化粧ボードと固定側化粧ボードの下端縁と出入口の上方空間を隠蔽し、下端面がほぼ同一高さとなるよう点検側化粧突部と固定側化粧突部が形成され、点検側化粧突部は、点検側ランマ下地パネルの点検側表面基板下端部の外面側に位置し、点検側化粧ボードの下端部を隠蔽する化粧突部と、点検側ランマ下地パネルの点検側表面基板下端部の内面側に着脱自在に取付けられる隠蔽突部より構成され、隠蔽突部が取り外された状態で、レール部材、引戸等が出入口側から取付け取外し可能で、レール部材に対する引戸の保持部が下方に臨み、レール部材と引戸が取付けられた状態で、点検側ランマ下地パネルの点検側表面基板にブレーキ装置の作動片が取付け可能に構成されている事を特徴とする引戸装置。
【請求項３】
引戸は、引戸本体と、引戸本体の戸尻側端面に着脱自在に取付られる戸尻側戸幅調整部材と、引戸本体の戸先側端面に着脱自在に取付けられる戸当たり部材より構成され、引戸本体に戸尻側戸幅調整部材が取付られた状態で引戸本体と戸尻側戸幅調整部材を合わせた開閉方向の寸法は出入口側の開閉方向の寸法より小さく設定され、引戸本体に戸尻側戸幅調整部材と戸当たり部材が取付けられた状態で引戸本体と戸尻側戸幅調整部材と戸当たり部材を合わせた開閉方向の寸法は、出入口側の開閉方向の寸法より大きく設定されている事を特徴とする請求項１、又は、請求項２に記載の引戸装置。
【発明の詳細な説明】
【技術分野】
【０００１】
本発明は、自閉機能を有する引戸装置に関するものである。
【背景技術】
【０００２】
従来、この種の引戸装置は、引戸の急激な閉鎖運動を阻止するため、閉鎖間近で引戸の閉鎖スピードを減少させ、緩やかに閉鎖させる手段として、エアーシリンダー（ブレーキ装置の調整部側）とエアーシリンダーを作動させる作動片からなるブレーキ装置を有している。
又、意匠性の向上のため、出入口以外の表面が、建物の壁面と同じ化粧用ボードで面一覆われる事も一般的である。
さらに、引戸装置の引戸等は建物の内装が完了したあとで据付けられるため、予め建物に組み込まれた引戸枠のレール部材に出入口から引戸等を取付け、その後、引戸の摺動確認、閉鎖スピードの調整等を含む各種微調整を行っている。
【０００３】
さらに、定期的な点検、あるいは故障の修理等を考慮すると、出入口から引戸、レール部材等を完全に取り外せることも考慮する必要があった。
このため、着脱自在なパネル（いわゆる点検パネル）を出入口の点検側（通常は室内側）の上部に構成し、パネルを取り外した状態で、引戸の据付け、引戸の摺動確認、エアーシリンダーの調整（引戸の閉鎖スピードの調整）を含む各種微調整等を行った後、パネルを再び出入口の上部に取付け、レール部材、エアーシリンダー等を隠蔽していた。
このため、上記作業はパネル側から行われる事が前提となり、エアーシリンダーは、パネルに対向する固定部分で、引戸の摺動に最も影響されにくい、レール部材の上方に取付けられる事となり、これらを隠蔽する必要から、パネルは必然的に相当の高さ寸法に構成されていた。（例えば、特許文献１参照。）
【０００４】
このため、出入口上部の意匠が点検側（通常は室内側）と固定側（通常は室外側）で著しく異なることとなっていた。
すなわち、出入口以外の表面を建物の壁面と同じ化粧用ボードで面一に覆って、全体の意匠性の向上を図りながら、出入口部分の意匠的配慮が十分でないという問題があった。
【０００５】
【特許文献１】特開平１０−８８１８号公報（第３頁、図１、図３）
【発明の開示】
【発明が解決しようとする課題】
【０００６】
本発明は、従来の問題点に鑑みて、簡単な構造で、出入口の意匠が点検側（室内側）と固定側（室外側）でほぼ同じ意匠となって、全体の美観の向上が図れると共に、取り外される部分を小型化することで、取り扱いが容易で、取り外し作業も安全に行うことができ、天井面にちかい大きな出入口を得ることもできる引戸装置を提供する事を課題とする。
【課題を解決するための手段】
【０００７】
そこで、上記課題を解決する為、本発明が第１の手段として構成したところは、戸先側縦枠と戸尻側縦枠と上枠より門形に形成されて建物側の鉄骨に固定される引戸枠にレール部材が配設され、レール部材に自閉可能に引戸が吊り下げられて、引戸の閉鎖状態で引戸の位置する側を出入口側とし、引戸の開放状態で引戸の位置する側を戸袋側となし、少なくとも出入口側の上部に点検側ランマ下地パネルと固定側ランマ下地パネルが所定間隔を有して対向して配設され、点検側ランマ下地パネルと固定側ランマ下地パネルの表面が壁面と略面一とした点検側化粧ボードと固定側化粧ボード化粧ボードで覆われてなる引戸装置において、点検側ランマ下地パネルと固定側ランマ下地パネルの下端部には点検側化粧ボードと固定側化粧ボードの下端縁の外側と引戸側に突出して、点検側化粧ボードと固定側化粧ボードの下端縁と出入口の上方空間を隠蔽し、下端面がほぼ同一高さとなるよう点検側化粧突部と固定側化粧突部が形成され、点検側化粧突部は、点検側ランマ下地パネルの点検側表面基板下端部の外面側に位置し、点検側化粧ボードの下端部を隠蔽する化粧突部と、点検側ランマ下地パネルの点検側表面基板下端部の内面側に着脱自在に取付けられる隠蔽突部より構成され、隠蔽突部が取り外された状態で、レール部材、引戸等が出入口側から取付け取外し可能で、レール部材に対する引戸の保持部が下方に臨み、レール部材と引戸が取付けられた状態で、点検側ランマ下地パネルの点検側表面基板にブレーキ装置の作動片が取付け可能に構成されているものである。
【０００８】
次に本発明が第２の手段として構成したところは、戸先側縦枠と戸尻側縦枠と上枠より門形に形成されて建物側の鉄骨に固定される引戸枠に、点検側と固定側に所定間隔を有して点検側中枠と固定側中枠が戸先側縦枠と戸尻側縦枠間に設けられ、戸尻側縦枠と点検側中枠間を戸袋点検側、戸尻側縦枠と固定側中枠間を戸袋固定側となし、戸先側縦枠と点検側中枠間を出入口点検側、戸先側縦枠と固定側中枠間を出入口固定側となし、戸袋側と出入口側を摺動自在で、出入口側を開閉自在となす引戸を点検側中枠と固定側中枠間に自閉可能に配設し、出入口点検側と出入口固定側の上部に点検側ランマ下地パネルと固定側ランマ下地パネルが所定間隔を有して対向して配設され、点検側ランマ下地パネルと固定側ランマ下地パネルの表面と戸袋点検側及び戸袋固定側の表面が建物の壁面と略面一とした化粧ボードで覆われてなる引戸装置において、点検側ランマ下地パネルと固定側ランマ下地パネルの下端部には点検側化粧ボードと固定側化粧ボードの下端縁の外側と引戸側に突出して、点検側化粧ボードと固定側化粧ボードの下端縁と出入口の上方空間を隠蔽し、下端面がほぼ同一高さとなるよう点検側化粧突部と固定側化粧突部が形成され、点検側化粧突部は、点検側ランマ下地パネルの点検側表面基板下端部の外面側に位置し、点検側化粧ボードの下端部を隠蔽する化粧突部と、点検側ランマ下地パネルの点検側表面基板下端部の内面側に着脱自在に取付けられる隠蔽突部より構成され、隠蔽突部が取り外された状態で、レール部材、引戸等が出入口側から取付け取外し可能で、レール部材に対する引戸の保持部が下方に臨み、レール部材と引戸が取付けられた状態で、点検側ランマ下地パネルの点検側表面基板にブレーキ装置の作動片が取付け可能に構成されているものである。
【０００９】
次に本発明が第３の手段として構成したところは、上記第１の手段として構成したところ、又は、上記第２の手段として構成したところに加え、引戸は、引戸本体と、引戸本体の戸尻側端面に着脱自在に取付られる戸尻側戸幅調整部材と、引戸本体の戸先側端面に着脱自在に取付けられる戸当たり部材より構成され、引戸本体に戸尻側戸幅調整部材が取付けられた状態で引戸本体と戸尻側戸幅調整部材を合わせた開閉方向の寸法は出入口側の開閉方向の寸法より小さく設定され、引戸本体に戸尻側戸幅調整部材と戸当たり部材が取付けられた状態で引戸本体と戸尻側戸幅調整部材と戸当たり部材を合わせた開閉方向の寸法は、出入口側の開閉方向の寸法より大きく設定されているものである。
【発明の効果】
【００１０】
請求項１に記載の発明によると、点検側ランマ下地パネルと固定側ランマ下地パネルの下端部に、下端面がほぼ同一高さとなる点検側化粧突部と固定側化粧突部を形成し、点検側化粧突部は、点検側ランマ下地パネルの点検側表面基板下端部の外面側に位置し、点検側化粧ボードの下端部を隠蔽する化粧突部と、点検側ランマ下地パネルの点検側表面基板下端部の内面側に着脱自在に取付けられる隠蔽突部より構成され、隠蔽突部が取外された状態で、レール部材に対する引戸の保持部が下方に臨むので、下方側から保持部の締め付け等が行え、レール部材の取付け高さ、ブレーキ装置の取付け高さとは関係なく、引戸上部ののみ込み代を考慮するだけの小さい高さ寸法に点検側化粧突部の高さ寸法を設定できので、固定側化粧突部の高さ寸法と同等にする事が可能となり、出入口上部の点検側と固定側の意匠に違和感がなくなり、全体の美観の向上が図れる。
さらに、隠蔽突部は、従来のパネル（点検パネル）に比べて、小型化、軽量化されているので、取付け取外し時の取り扱いが容易で、取外す部分がランマ下地パネルの点検側表面基板の内面側であるから、出入口の開口高さは、化粧突部の高さ寸法に影響されるだけであるから、出入口の開口を天井面の近くまで形成することも可能である。
【００１１】
請求項２に記載の発明によると、上記効果に加え、出入口以外の表面を建物の壁面と同じ化粧用ボードで面一に覆っているので、全体の意匠性の向上をより一層図る事ができる。
【００１２】
請求項３に記載の発明によると、請求項１又は請求項２に記載の発明の効果に加え、引戸は、引戸本体と、引戸本体の戸尻側端面に着脱自在に取付られる戸尻側戸幅調整部材と、引戸本体の戸先側端面に着脱自在に取付けられる戸当たり部材より構成され、引戸本体に戸尻側戸幅調整部材が取付られた状態で引戸本体と戸尻側戸幅調整部材を合わせた開閉方向の寸法は出入口側の開閉方向の寸法より小さく設定され、引戸本体に戸尻側戸幅調整部材と戸当たり部材が取付られた状態で引戸本体と戸尻側戸幅調整部材と戸当たり部材を合わせた開閉方向の寸法は、出入口側の開閉方向の寸法より大きく設定されているので、レール部材に対する引戸の取付け時に、まず、出入口側の開閉方向の寸法より小さい引戸本体をレール部材に取付けることで、取付作業が容易となり、引戸本体の取付後、戸尻側戸幅調整部材を取付けることで、戸当たり部材の幅寸法を小さくすることが可能となり、さらに、戸当たり部材を引戸本体に取付けることにより、開閉方向の寸法を出入口側を閉塞する寸法とし、閉鎖時にも戸尻側戸幅調整部材を目立たなくすることができる。
【発明を実施するための最良の形態】
【００１３】
本発明は、戸先側縦枠と戸尻側縦枠と上枠より門形に形成されて建物側の鉄骨に固定される引戸枠に、点検側と固定側に所定間隔を有して点検側中枠と固定側中枠が戸先側縦枠と戸尻側縦枠間に設けられ、戸尻側縦枠と点検側中枠間を戸袋点検側、戸尻側縦枠と固定側中枠間を戸袋固定側となし、戸先側縦枠と点検側中枠間を出入口点検側、戸先側縦枠と固定側中枠間を出入口固定側となし、戸袋側と出入口側を摺動自在で、出入口側を開閉自在となす引戸を点検側中枠と固定側中枠間に自閉可能に配設し、出入口点検側と出入口固定側の上部に点検側ランマ下地パネルと固定側ランマ下地パネルが所定間隔を有して対向して配設され、点検側ランマ下地パネルと固定側ランマ下地パネルの表面と戸袋点検側及び戸袋固定側の表面が建物の壁面と略面一とした化粧ボードで覆われてなる引戸装置において、点検側ランマ下地パネルと固定側ランマ下地パネルの下端部には点検側化粧ボードと固定側化粧ボードの下端縁の外側と引戸側に突出して、点検側化粧ボードと固定側化粧ボードの下端縁と出入口の上方空間を隠蔽し、下端面がほぼ同一高さとなるよう点検側化粧突部と固定側化粧突部が形成され、点検側化粧突部は、点検側ランマ下地パネルの点検側表面基板下端部の外面側に位置し、点検側化粧ボードの下端部を隠蔽する化粧突部と、点検側ランマ下地パネルの点検側表面基板下端部の内面側に着脱自在に取付けられる隠蔽突部より構成され、隠蔽突部が取り外された状態で、レール部材、引戸等が出入口側から取付け取外し可能で、レール部材に対する引戸の保持部が下方に臨み、レール部材と引戸が取付けられた状態で、点検側ランマ下地パネルの点検側表面基板にブレーキ装置の作動片が取付け可能に構成され、引戸は、引戸本体と、引戸本体の戸尻側端面に着脱自在に取付られる戸尻側戸幅調整部材と、引戸本体の戸先側端面に着脱自在に取付けられる戸当たり部材より構成され、引戸本体に戸尻側戸幅調整部材が取付けられた状態で引戸本体と戸尻側戸幅調整部材を合わせた開閉方向の寸法は出入口側の開閉方向の寸法より小さく設定され、引戸本体に戸尻側戸幅調整部材と戸当たり部材が取付けられた状態で引戸本体と戸尻側戸幅調整部材と戸当たり部材を合わせた開閉方向の寸法は、出入口側の開閉方向の寸法より大きく設定されているものである。
【実施例】
【００１４】
以下、第実施例を添付図面に基づいて詳述する。
図１において、符号１は引戸枠を示している。
引戸枠１は、図１から図４に示すように、建物側の鉄骨１１・・・にブラケット１２・・・を介して固定された戸尻側縦枠１３および戸先側縦枠１４と、戸尻側縦枠１３と戸先側縦枠１４の上端間に連結座を介して配設された上枠１５より門形に形成されている。
【００１５】
そして、戸尻側縦枠１３と戸先側縦枠１４間で、上枠１５の点検側（実施例では室内側）と固定側（実施例では室外側）の両面に上端が固定され、下端部が床面に埋め込まれ、点検側と固定側に所定間隔を有して点検側中枠３と固定側中枠３０が配設されている。
以下、戸尻側縦枠１３と点検側中枠３間を戸袋点検側、戸尻側縦枠１３と固定側中枠３０間を戸袋固定側、戸袋点検側と戸袋固定側をあわせて戸袋側、戸先側縦枠１４と点検側中枠３間を出入口点検側、戸先側縦枠１４と固定側中枠３０間を出入口固定側、出入口点検側と出入口固定側をあわせて出入口側と云う。
【００１６】
図２、図３において、符号２はレール取付材を示している。
レール取付材２は、戸尻側端部が、上枠１５の戸尻側端部に設けられた戸尻側支持部材２００に支持され、戸先側端部が、上端部が上枠１５に連結された固定側ランマ下地パネル１９の内面に設けられた、固定用補強材１５８に固定用ボルト２１２を介して、高さ調節可能に配設され、下面にレール部材５が着脱自在に連結されている。
符号６は、レール部材５に吊り下げられた引戸を示し、符号１６はベース材を示している。
ベース材１６は、戸袋側の床面全幅にわたって固定され、出入口側にやや突出した端部上面に、ガイドローラー１７を回転自在に設けたガイドローラー取付部材１６４が、ベース材１６の固定側中枠３０と点検側中枠３間に設けられている。（図４に示す。）
図１、図３において、符号４・・・は、戸袋点検側及び戸袋固定側の両面上下方向に所定間隔を有して配設された下地桟を示している。
図２において符号７は、上枠１５の点検出入口側に取付けられる点検側ランマ下地パネルを示し、符号１９は上枠１５の固定出入口側に取付けられた固定側ランマ下地パネルを示している。
【００１７】
そして、上記引戸枠１、ベース材１６、点検側中枠３、固定側中枠３０、下地桟４・・・、点検側ランマ下地パネル７、固定側下地パネル１９、レール部材５が取付られたレール取付材２は、内装仕上げ（化粧ボード等の張り付け）が行われるまでに施工され、内装仕上げが終了した後、点検側ランマ下地パネル７の一部を取り外して、引戸６がレール部材５に吊り込まれ、引戸６の摺動確認、閉鎖スピードの調整等が行われる。
【００１８】
以下、各部材について詳述する。
戸尻側縦枠１３は、図４に示す如く、戸袋側面１３１と点検側面１３２と固定側面１３３より横断面略コ字形に形成され、建物側鉄骨１１側の上下方向に所定間隔を有して設けられた固定用部材１３４・・・が、建物用鉄骨１１の戸袋側面に突出して固着されたブラッケット１２・・・に溶接され、下端部は床面仕上げ時に床面に埋め込まれて立設されている。
そして、戸袋側面１３１の戸袋側に引戸６が開放された時、引戸６の戸尻側端面が当接する緩衝部材１３５が取付られている。
【００１９】
戸先側縦枠１４は、図４に示す如く、建物側鉄骨１１側の上下方向に所定間隔を有して固定用部材１４１・・・が設けられ、出入口側方向で点検側（室内側）に突出して点検側（室内側）の化粧ボード１００の出入り口側端面を隠蔽する点検側ボード閉塞部１４６と、出入口側方向で固定側に突出して固定側の化粧ボード１００の出入口側端面を隠蔽する固定側ボード閉塞部１４７を有する扁平な略コ字形に形成され、引戸６の戸先側端部が位置する出入口側部分に閉鎖用凹部１４８が上下方向に渡って形成されている。
【００２０】
上枠１５は、図２、図３に示す如く、下面壁１５１と下面壁１５１の点検側端部を立ち上げた点検側壁１５２と、下面壁１５１の固定側端部を立ち上げた固定側壁１５３より上向き略コ字形に形成され、固定側壁１５３の出入口側部分には固定側ランマ下地パネル１９の上端部がネジ止め連結され、点検側壁１５２の出入口側部分には、点検側ランマ下地パネル７の上端部がネジ止め連結されている。
【００２１】
ベース材１６は、図３に示す如く、戸袋側の床面全幅に位置する固定面１６１と、固定面１６１の点検側および固定側の端部に形成された立ち上がり面１６２、１６２より断面上向きコ字形に形成され出入口側に位置する端部に、引戸６の下端面に形成された嵌合溝６０内に嵌合するガイドローラー１７を上面で回転自在に保持するガイドローラー取付部材１６４が固定面１６１の出入口側端部に取付けられている。
そして、ガイドローラー取付部材１６４の戸尻側縦枠１３側の端部側はアンカーボルトにてベース材１６と共に床面に固定され、立ち上がり面１６２、１６２の出入口側端部は点検側中枠３、固定側中枠３０の内面と連結されている。
【００２２】
点検側中枠３は、図４に示す如く、内面側に位置する補強枠３１と、補強枠３１の出入り口側の端部から点検側に突出し、点検側戸袋化粧ボード１００の出入口側端部を隠蔽する点検側中枠突部３２と、点検側中枠突部３２の内面側端部から戸尻側縦枠１３方向に突出し、点検側戸袋化粧ボード１００が貼り付けられる化粧ボード支持部３３と、化粧ボード支持部３３の戸尻側縦枠１３側の端部からL字形に戸尻側縦枠１３方向に突出し、下地桟４・・・の点検側中枠３側の端部が連結される下地桟連結部３４より形成され、上端部が上枠１５の点検側壁１５２に連結され、下端部がベース材１６と連結され、床面仕上げ時に下端が床面に埋め込まれて立設される。
【００２３】
固定側中枠３０は、図４に示す如く、内面側に位置する固定側補強枠３０１と、固定側補強枠３０１の出入り口側の端部から固定側に突出し、固定側戸袋化粧ボード１００の出入口側端部を隠蔽する固定側中枠突部３０２と、固定側中枠突部３０２の内面側端部から戸尻側縦枠１３方向に突出し、固定側戸袋化粧ボード１００が貼り付けられる固定側化粧ボード支持部３０３と、固定側化粧ボード支持部３０３の戸尻側縦枠１３側の端部からL字形に戸尻側縦枠１３方向に突出し、下地桟４・・・の固定側中枠３０側の端部が連結される固定側下地桟連結部３０４より形成され、上枠１５の固定側壁１５３に上端部が連結され、下端部がベース材１６と連結され、床面仕上げ時に床面に下端が埋め込まれて立設される。
【００２４】
下地桟４は、図１、図３、図４に示すように、基板表面部４１と、基板表面部４１の上下端部をL字形に折り曲げた上下フランジ部４２、４３と、基板表面部４１の戸尻側端部を内側にL字形に折り曲げた連結用フランジ部４４と、基板表面部４１の点検側中枠３側の端部に形成された中枠側連結部４５より構成、戸尻側縦枠１３と点検側中枠３及び固定側中枠３０間の上下方向に所定間隔を有して配設され、下地桟４・・・の連結用フランジ部４４・・・間、及びベース材１６の立ち上がり面１６２、１６２と連結用フランジ４４・・・間、連結用フランジ４４・・・と上枠１５の点検側壁１５２及び固定側壁１５３間に下地ボード１０１・・・が貼付けられ、下地ボード１０１・・・の表面に化粧ボード１００・・・が貼り付けられる。
【００２５】
固定側ランマ下地パネル１９は、図２に示す如く、固定側化粧ボード１００が表面に貼り付けられる固定側表面基板１９１と、固定側表面基板１９１の上端部に形成され、上枠１５の固定側壁１５３にネジ止めされる固定側上部連結突片１９２と、固定側表面基板１９１の下端部に形成され、固定側化粧ボード１００の下端縁の外側と引戸６側に突出して
固定側化粧ボード１００の下端縁を隠蔽すると共に、出入口の固定側上方空間を隠蔽する
固定側化粧突部１９３より形成されている。
そして、固定側化粧突部１９３の戸先側端部と戸尻側端部は、戸先側縦枠１４の固定側ボード閉塞部１４７の出入口側の上部と、固定側中枠突部３０２の出入口側の上部内面にネジ止めされた逆L字形の連結座１９０に上方からネジ止め連結されている。
【００２６】
点検側ランマ下地パネル７は、図２に示すように、点検側化粧ボード１００が表面に貼り付けられる点検側表面基板７１と、点検側表面基板７１の上端部に形成され上枠１５の点検側壁１５２にネジ止めされる点検側上部連結突片７２と、点検側表面基板７１の下端部に形成され、点検側化粧ボード１００の下端縁の外側と引戸６側に突出して点検側化粧ボード１００の下端縁を隠蔽すると共に、出入口の点検側上方空間を隠蔽する点検側化粧突部７３より形成されている。そして、固定側化粧突部１９３と点検側化粧突部７３の下端面はほぼ同一高さとなるよう構成されている。
【００２７】
点検側化粧突部７３は、図５に示すように、点検側ランマ下地パネル７の点検側表面基板７１の下端部外側に突出し、点検側化粧ボード１００の下端部を隠蔽する化粧突部７３１と、引戸６側に位置し、出入口の点検側上方空間を隠蔽する隠蔽突部７５より構成されている。
そして、化粧突部７３１の戸先側端部と戸尻側端部は、戸先側縦枠１４の点検側ボード閉塞部１４６の出入口側の上部と、点検側中枠突部３２の出入口側の上部内面にネジ止めされた逆L字形の連結座１９０に上方からネジ止め連結されている。
すなわち、化粧突部７３１と前記固定側化粧突部１９３の高さ寸法は同一に形成されているので、出入口上部は点検側（室内側）、固定側（室外側）とも同じ意匠に形成される。
【００２８】
一方、隠蔽突部７５は、図５に示すように、点検側ランマ下地パネル７の点検側表面基板７１の戸先側端部と戸尻側端部の内面下端部に設けられた突部連結座７１１、７１１とネジ止め連結される上部連結突片７５１と、上部連結突片７５１の所定寸法下方に位置し、突部連結座７１１、７１１に対応する個所にドライバーの挿通孔（図示せず。）が形成された下部隠蔽用突片７５２等より断面略コ字形に形成され、出入口の点検側上方空間を隠蔽している。
符号７５３は、下部隠蔽用突片７５２の挿通孔に取り外し可能に設けられた挿通孔閉塞用キャップである。
【００２９】
点検側ランマ下地パネル７は上記のように形成され、点検側上部連結突片７２が上枠１５の点検側壁１５２にネジ止めされ、点検側化粧突部７３が連結座１９０にネジ止めされた後、戸袋側等にも下地ボード１０１が貼り付けられた後、点検側ランマ下地パネル７の点検側表面基板７１の表面と、固定側ランマ下地パネル１９の固定側表面基板１９１の表面と、戸袋側に、点検側化粧ボード１００、固定側化粧ボード１００、及び戸袋側の化粧ボード１００が貼り付けられ状態で、出入口以外の表面が建物の壁面と同じ化粧用ボード１００で面一に覆われることとなる。
すなわち、戸先側縦枠１４の点検側ボード閉塞部１４６と、固定側ボード閉塞部１４７と、点検側中枠突部３２と固定側中枠突部３０２と、点検側化粧突部７３と固定側化粧突部１９３が化粧用ボード１００より外側に突出してあらわれることとなる。
そして、点検側化粧突部７３の隠蔽突部７５を取り外した状態で、レール部材５が取付けられたレール取付材２、引戸６等が引戸枠１に取り外し自在に構成されている。
【００３０】
レール取付材２は、図２に示ように、下面にレール部材５が連結される上面連結壁２１と、上面連結壁２１の固定側端部の下方に連設され、固定側ランマ下地パネル１９の内面に設けられた固定用補強材１５８に固定用ボルト２１２を介して高さ調節可能に連結される側面連結壁２４等より断面略下向きコ字形に形成され、戸尻側端部に戸尻側支持部材２００に嵌入支持される嵌入取付座４００がネジ止め連結されている。
【００３１】
戸尻側支持部材２００は、図５に示すように上枠１５の下面壁１５１の下方に突出した状態に固着されており、正面支持片２０２と、正面支持片２０２の固定側端部で戸尻側に突出する固定側側片２０１と、正面支持片２０２の点検側端部で固定側側片２０１と平行に戸尻側に突出する点検側側片２０３より横断面略コ字形に形成されている。
そして、正面支持片２０２には水平方向に所定間隔を有して嵌入取付座４００の一部が嵌入支持される２つの嵌入支持孔２０４、２０４が形成されている。
【００３２】
嵌入取付座４００は、図５に示すように固定側の嵌入支持孔２０４の内側下方に下端部が突出する第１戻り止め係止突片４０１を戸尻側端部に有する第１嵌入突片４０２が戸尻側端部に形成された内側取付基板４０３と、点検側の嵌入支持孔２０４の内側下方に下端部が突出する第２戻り止め係止突片４０１を戸尻側端部に有する第２嵌入突片４０２が第１嵌入突片４０２と所定間隔有して戸尻側端部に形成され、戸先側半部が内側取付基板４０３の戸先側半部の点検側に連結一体化された外側取付基板４０６より構成され、連結ボルト４０７にてレール取付材２の戸尻側端部に取付けられている。
【００３３】
そして、嵌入支持孔２０４、２０４は、第１、第２戻り止め係止突片４０１、４０１、
第１、第２嵌入突片４０２、４０２が嵌入する大きさの嵌入孔２０５、２０５と、嵌入孔２０５、２０５の下方に連設され、第１、第２嵌入突片４０２、４０２の下端面と点検側及び固定側面を支持する支持孔２０６、２０６より構成されている。
尚、嵌入支持孔２０４、２０４より嵌入突片２０２、２０２を抜き出す時、一旦、第１、第２戻り止め係止突片４０１、４０１が支持孔２０６、２０６の下端縁の下方内面に当接してレール取付材２の移動は停止する。  この状態でレール取付材２の戸尻側端部を持ち上げる事で、戸尻側支持部材２００からレール取付材２取り外される。（第１、第２戻り止め係止突片４０１、４０１ないと、嵌入支持孔２０４、２０４より嵌入突片２０２、２０２が急に抜き出されると戸尻側が重みで落下する恐れがあり危険である。）
すなわち、実施例では嵌入突片４０２の長さは、レール取付材２の取付け状態で、戸尻側支持部材２００の戸尻側の中程まで達する長さに設定しているが、これはレール取付材２の戸尻側端部を持ち上げるタイミングが、認知できる長さに設定されておれば良い。
【００３４】
レール取付材２は、上記のように構成され、内面にレール部材５が取付られた状態で固定側ランマ下地パネルに取付けられる。
すなわち、点検側化粧突部７３の隠蔽突部７５を取り外した状態で、点検側中枠３と固定側中枠３０間の下方から戸袋側の上部方向に、レール取付材２の戸尻側端部を出入口側から差し込んで、上枠１５の戸尻側端部に設けられた戸尻側支持部材２００の嵌入支持孔２０４、２０４に第１、第２嵌入突片４０２、４０２を嵌入し、次にレール取付材２の戸先側を持ち上げて、固定側ランマ下地パネル１９の内面に設けられた固定用補強材１５８に固定用ボルト２１２を介して仮連結し、次にレール取付材２を下方に引き込むようにして、第１、第２嵌入突片４０２、４０２を支持孔２０６、２０６内に位置させる。
次に、引戸６をレール部材５に吊り下げた状態で引戸６が自閉するよう、レール取付材２（レール部材５）を戸先側が下がった所定の傾斜状態とし、固定用ボルト２１２を螺合する。
【００３５】
レール部材５は、図６に示すように、アウターメンバー５１と、アウターメンバー５１にボールリテーナ５２に回転自在に保持された複数個のボール５３・・・・を介してスライド自在に保持されたインナーメンバー５４より構成され、レール支持材２の上面連結壁２３の下面にネジ止めにて着脱自在に取付られている。
【００３６】
アウターメンバー５１は、帯状の金属板をプレスで成形し、平らな取付板部５１１の両側縁を互いに向き合う内向きに湾曲させてボールガイド部５１２、５１２を形成し、取付板部５１１に固定用ネジの貫通孔を設けている。
インナーメンバー５４は、出入口の幅寸法より短めの長さの帯状金属板を用いてプレスで成形し、中央で断面略コ字形状に屈曲させた取付部５４１の両側縁を互いに離れる外向きに湾曲させて、ボールガイド部５４２、５４２を形成してなる。
【００３７】
ボールリテーナ５２は、アウターメンバー５１とインナーメンバー５４のボールガイド部５１２、５１２、５４２、５４２間に突出し、引戸６の開閉方向に所定間隔を有して複数個のボール５３・・・を回転自在に保持するボール保持部５２１、５２１と、インナーメンバー５４のボールガイド部５１２、５１２とアウターメンバー５１の取付板部５１１間に位置する基板５２２より断面下向き略コ字形に形成されている。
【００３８】
したがって、引戸６の開閉移動の距離（インナーメンバー５４の移動距離）に対し、ボールリテーナ５２は２分の１の移動距離となるので、アウターメンバー５１は、レール取付材２よりやや短目の長さに形成され、インナーメンバー５４は引戸６の幅寸法よりやや短目に形成され、ボールリテーナ５２は、引戸６の幅寸法に移動距離の２分の１の寸法を加えた長さよりやや長めに形成されている。
そして、レール部材５のインナーメンバー５４の下面には、戸先側端部と戸尻側端部に吊りボルト６５、６５が下方から螺合する断面略コ字形の吊りボルト保持体６６がネジ止めされ、吊りボルト６５、６５には引戸吊り下げ体６７を介して引戸６が吊り下げられている。
すなわち、吊りボルト６５は、吊りボルト保持体６６に設けたナット部に螺合する螺軸部６５１と、螺軸部６５１の下端に位置する頭部６５２よりなり、頭部６５２に引戸吊り下げ体６７を係止し、頭部６５２が回動されることにより、引戸６は上下方向に微動し、水平状態に吊り下げられる。
【００３９】
引戸吊り下げ体６７は、吊り下げ支持面６７１と、吊り下げ支持面６７１の固定側端部を垂下させたブレーキ装置９の取付け空間を形成する下方突出面６７２と、下方突出面の下端から点検側に突出する引戸連結面６７３より断面略コ字形に形成され、吊り下げ支持面６７１には点検側が開口し、前記吊りボルト６５の螺軸部６５１が挿通可能で、頭部６５１より小さい幅の係止用きり欠き６７４、６７４が形成され、係止用きり欠き６７４、６７４を挟む開閉側には、脱落防止部材６８を下方から取付けるための螺孔６７０・・・が形成され、係止用きり欠き６７４、６７４間にはブレーキ装置９のエアーシリンダー９２が連結される連結用螺孔６７５、６７５が設けられ、引戸連結面６７３の開閉方向には所定間隔を有して引戸６の上面に連結する為の連結孔６７６・・・が形成されている。
【００４０】
引戸吊り下げ体６７の吊り下げ支持面６７１の下面に連結され、引戸６（引戸吊り下げ体６７）が吊りボルト６５から脱落するのを防止する脱落防止部材６８は、図８に示すように、引戸吊り下げ体６７に連結された状態で、吊りボルト６５の頭部６５２の下方に位置する底壁６８１と、底壁６８１の点検側端部に連設された、吊りボルト６５の頭部６５２の点検側で上方に突出し、引戸吊り下げ体６７が固定側に移動するのを防止する移動防止突壁６８２と、底壁６８１の開閉側端部に連設された、吊りボルト６５の頭部６５２の開閉側で上方に突出する逆L字形で、前記螺孔６７０、６７０に対応して連結孔６８４、６８４が形成された連結用翼壁６８３、３８３より構成され、連結ネジ６８５（図２に示す。）・・・にて下方より引戸吊り下げ体６７に連結される。
【００４１】
エアーシリンダー９２は、逆Ｌ字形のシリンダー取付座９２０に連結された状態で、吊り下げ支持面６７１の下面にシリンダー取付座９２０が連結用螺孔６７５、６７５を介して連結される事で下方突出面６７２の点検側に位置して設けられる。
一方、エアーシリンダー９２を作動させる作動片９１は、点検側ランマ下地パネルの点検側表面基板７１の内面で開閉方向の中央部でやや戸先側よりに取付けられた、突部連結座７１１と同形の作動片取付座９１１に、引戸６が取付けられた後連結される。
【００４２】
引戸６は、図１から図４に示すように、パネル形状の引戸本体６１と、引戸本体６１の戸尻側端面に着脱自在に取付られる戸尻側戸幅調整部材６２と、引戸本体６１の戸先側端面に着脱自在に取付けられる戸当たり部材６００より構成されている。
そして、引戸本体６１の下端面の開閉方向にガイドローラー１７が嵌合する嵌合溝６０が形成され、上端面の開閉方向に所定間隔を有して、引戸吊り下げ体６７が連結される連結用螺孔（図示せず。）が形成され、戸尻側戸幅調整部材６２が取付られた状態で引戸本体６１と戸尻側戸幅調整部材６２を合わせた開閉方向の寸法は出入口側の開閉方向の寸法より小さく設定され、引戸本体６１に戸尻側戸幅調整部材６２と戸当たり部材６００が取付られた状態で引戸本体６１と戸尻側戸幅調整部材６２と戸当たり部材６００を合わせた開閉方向の寸法は、出入口側の開閉方向の寸法より大きく設定されている。
【００４３】
戸尻側戸幅調整部材６２は、引戸本体６１の戸尻側端面に着脱自在に連結される連結用正面片６２１と、連結用正面片６２１の固定側と点検側を所定寸法でＬ字形に折り曲げた折り曲げ片より戸尻側が開口する横断面略コ字形に形成されている。
そして、引戸本体６１の戸尻側端面の上下方向に所定間隔を有して設けられた複数個のネジ頭６１１・・・に対応して、連結用正面片６２１に複数個のダルマ形の連結孔６２２・・・が形成され、ネジ頭６１１・・・をダルマ形の連結孔６２２・・・の大径部分に嵌入させた後、下方にスライドさせることにより、引戸本体６１の戸尻側端面に戸尻側戸幅調整部材６２は連結される。
【００４４】
戸当たり部材６００は合成樹脂材の押し出し成形により形成され、脚片部６０１，６０１を戸先側から、引戸本体６１の戸先側端面の中央部上下方向に形成された引戸嵌合溝６１２に嵌入することにより取付けられる。
符号３００は、引戸６の戸先側端部で、点検側（室内側）と固定側（室外側）に設けられた取手を示している。
【００４５】
引戸６は上記のように構成され、レール部材５に吊り下げられるときは、戸尻側戸幅調整部材６２と戸当たり部材６００を取り外して、引戸本体６１のみを吊り下げ、次に、引戸本体６１の戸尻側端面に戸尻側戸幅調整部材６２に取付け、嵌合溝６０にガイドローラー１７を嵌合させながら、戸袋側に引戸本体６１を移動させた状態で、戸先側端面に戸当たり部材６００を取付けて、引戸６の開閉方向の幅寸法を出入口の幅寸法より大きく構成する。
【００４６】
本発明は上記のように構成され、引戸枠１、ベース材１６、ガイドローラー１７を回転自在に設けたガイドローラー取付部材１６４、点検側中枠３、固定側中枠３０、下地桟４・・・、固定側ランマ下地パネル１９、点検側ランマ下地パネル７、戸先側が下がる傾斜状態（引戸６が自閉可能な状態）に配設されたレール取付材２（レール部材５）が取付られ、内装仕上げが終了した後、点検側ランマ下地パネル７の、隠蔽突部７５を取り外した状態で、出入口の点検側の下方から、引戸本体６１をやや傾倒させた状態で（図１１に示す状態）、引戸本体６１の上面に連結された引戸吊り下げ体６７の吊り下げ支持面６７１の下方に、レール部材５に取付けられた吊りボルト保持体６６の吊りボルト６５、６５の頭部６５２、６５２が位置するように、螺軸部６５１、６５１を係止用きり欠き６７４、６７４内に位置させながら引戸本体６１を吊り下げ、吊りボルト６５、６５を回動させて、引戸本体６１を所定の状態に調整する（図１０に示した状態）。
次に、引戸本体６１の戸尻側端面に戸尻側戸幅調整部材６２に取付け、嵌合溝６０にガイドローラー１７を嵌合させながら、戸袋側に引戸本体６１を移動させた状態で、戸先側端面に戸当たり部材６００を取付けて、引戸６の開閉方向の幅寸法を出入口の幅寸法より大きく構成する。
【００４７】
次に、エアーシリンダー９２が取付けられたシリンダー取付座９２０を吊り下げ支持面６７１の下面にネジ止め連結し、さらに、作動片９１を作動片取付座９１１に下方から仮連結し、引戸６の閉鎖スピードの調節、引戸６の摺動確認をした後、作動片９１を作動片取付座９１１に連結固定し、さらに、点検側に移動防止突壁６８２が位置するよう、脱落防止部材６８を吊り下げ支持面６７１の下面にと連結ネジ６８５・・・にて連結する。これによって、引戸６は引戸吊り下げ体６７、吊りボルト６５、６５、吊りボルト保持体６６を介してレール部材５に保持される事となる。
すなわち、本発明のレール部材５に対する引戸６の保持部とは、引戸６がレール部材５から脱落するのを最終的に防止する（引戸吊り下げ体６７が吊りボルト６５の頭部６５２
との脱落するのを防止する）脱落防止部材６８と引戸吊り下げ体６７の連結に供される連結ネジ６８５をさす。
そして、最後に隠蔽突部７５を突部連結座７１１、７１１に連結し、出入口の点検側上方空間を隠蔽する。
【図面の簡単な説明】
【００４８】
【図１】本発明の点検側（室内側）からの正面図
【図２】図１のA―A線拡大断面図
【図３】図１のB―B線拡大断面図
【図４】図１のC―C線拡大断面図
【図５】点検側化粧突部部分の拡大断面図
【図６】戸尻側支持部材と嵌入取付座部分の斜視図
【図７】レール部材部分の拡大断面図
【図８】引戸吊り下げ体部分の斜視図
【図９】脱落防止部材の斜視図
【図１０】引戸本体の取付け状態を示す要部横断面図
【図１１】引戸本体の取付け初期状態を示す説明図
【符号の説明】
【００４９】
１        引戸枠
１１      鉄骨
１３      戸尻側縦枠
１４      戸先側縦枠
１５      上枠
１００    化粧ボード
３        点検側（室内側）中枠
３０      固定側（室外側）中枠  
４        下地桟
５        レール部材
６        引戸
６１      引戸本体
６２      戸尻側戸幅調整部材
６００    戸当たり部材
７        点検側ランマ下地パネル
７１      点検側表面基板
７３      点検側化粧突部
７５      隠蔽突部            
９        ブレーキ装置
９１      作動片
【図１】
2008057144.tif 000003
【図２】
2008057144.tif 000004
【図３】
2008057144.tif 000005
【図４】
2008057144.tif 000006
【図５】
2008057144.tif 000007
【図６】
2008057144.tif 000008
【図７】
2008057144.tif 000009
【図８】
2008057144.tif 000010
【図９】
2008057144.tif 000011
【図１０】
2008057144.tif 000012
【図１１】
2008057144.tif 000013